(57)【要約】   本発明は、冷却装置の冷却流体、特に、自動車の、特に、燃料電池システムの機能システムの液体流体を処理するイオン交換器に関する。イオン交換器は、処理される流体用の入口（３８）と、処理された流体用の出口（４０）とを有するイオン交換タンク（３０）を含む。イオン交換タンク（３０）において、流れに対して、入口（３８）と出口（４０）との間に粒状のイオン交換媒体（３２）が配置される。可撓性バッグ（３０）は、流体用の蛇行チャネル（７８）を有する。チャネル（７８）は、入口（３８）を出口（４０）に接続する。イオン交換媒体（３２）は、チャネル（７８）に配置される。【選択図】    図２
2014512937.tif 000002
【特許請求の範囲】
【請求項１】
冷却装置の冷却流体、特に、自動車の、特に、燃料電池システムの機能システムの液体流体を処理するイオン交換器（１０）であって、処理される流体用の入口（３８）と、処理した流体用の出口（４０）とを有し、前記入口（３８）と前記出口（４０）との間の流れの中に粒状のイオン交換媒体（３２）が配置されたイオン交換容器（３０）を含むイオン交換器において、前記イオン交換容器は可撓性バッグ（３０）として具現化され、前記可撓性バッグ（３０）は、前記入口（３８）を前記出口（４０）と接続し、前記イオン交換媒体（３２）が配置された流体用蛇行流路（７８）を含むことを特徴とするイオン交換器（１０）。
【請求項２】
前記蛇行流路は、互いに平行で、互いに隣接する流路部を有することを特徴とする、請求項１に記載のイオン交換器（１０）。
【請求項３】
前記バッグ（３０）が巻かれて略円筒体になることを特徴とする、請求項２に記載のイオン交換器。
【請求項４】
前記バッグ（３０）と共に、薄い可撓性保護材料、特に、不織布（３４）が巻かれることを特徴とする、請求項３に記載のイオン交換器。
【請求項５】
前記巻かれたバッグ（３０）は、弾性支持スリーブ、特に、圧縮スリーブ（３６）に入れられることを特徴とする、請求項３または４に記載のイオン交換器。
【請求項６】
前記バッグ（３０）はプラスチック材料でできており、前記流路（７８）は、特に、複数の特に平行な接合曲線、特に、溶着線（６８、７０）によって画定され、前記バッグ（３０）の対向する２つの内側面は、接合曲線に沿って互いに接合され、接合曲線は、前記バッグ（３０）の第１の縁部（６２）から、反対側に配置された第２の縁部（６４）に対して、特に、隣接する接合曲線（６８、７０）間の前記流路（７８）の幅に一致する間隔（７２）を置いた位置まで、および前記第２の縁部（６４）から、前記第１の縁部（６２）に対して所定の間隔、特に同じ間隔（７２）を置いた位置まで交互に延びることを特徴とする、請求項１〜５のいずれか一項に記載のイオン交換器。
【請求項７】
前記入口（３８）および出口（４０）は、前記バッグ（３０）の同じ縁部（６２）の周辺に配置されることを特徴とする、請求項１〜６のいずれか一項に記載のイオン交換器。
【請求項８】
前記バッグ（３０）は、特に、２つの半体シェル（１４、１６）で構成された、好ましくは剛性の保護ハウジング（１２）内に配置されることを特徴とする、請求項１〜７のいずれか一項に記載のイオン交換器。
【請求項９】
前記保護ハウジング（１２）と前記バッグ（３０）との間の空隙（９０）は、好ましくは非圧縮性の充填媒体、特に、液体または発砲材料（８８）を充填されることを特徴とする、請求項８に記載のイオン交換器。
【請求項１０】
特に、熱可塑性材料、好ましくはポリエチレンまたはポリウレタンでできたこすれ保護具（５８）が、前記バッグ（３０）と前記保護ハウジング（１２）との間に配置されることを特徴とする、請求項８または９に記載のイオン交換器。
【請求項１１】
前記バッグ（３０）は、歪み逃がし装置（５０）を用いて前記保護ハウジング（１２）の接続部（１８）に取り付けられることを特徴とする、請求項８〜１０のいずれか一項に記載のイオン交換器。
【発明の詳細な説明】
【技術分野】
【０００１】
本発明は、処理される流体用の入口と、処理された流体用の出口とを有し、粒状のイオン交換媒体が、入口と出口との間の流れの中に配置されるイオン交換容器を含む、冷却装置の冷却流体、特に、自動車の、特に、燃料電池システムの機能システムの液体流体を処理するイオン交換器に関する。
【背景技術】
【０００２】
欧州特許出願公開第１  ７３６  ２４２Ａ２号明細書は、自動車で使用するイオン交換容器を開示しており、このイオン交換容器を用いて、窒素酸化物を酸素還元するために排気ガス流れ中に導入される水尿素溶液の水部分が脱石灰される。イオン交換容器は、イオン交換媒体を収容するためのハウジングを有する。水尿素溶液は、供給管によってイオン交換容器に供給され、イオン交換媒体の間を通り抜けた後、排出管によって再度排出される。イオン交換容器は、入れ子になった２つのハウジングを含み、内側ハウジングはイオン交換媒体を収容した。尿素溶液は、内側ハウジングの底部に配置された開口から内側ハウジングの内部に流入する。尿素溶液は内部を通り、さらには、内部に収容されたイオン交換媒体の間を通って底部から上端に流れ、内側ハウジングの蓋領域の中央排出ソケットを用いて排出管に排出される。内側ハウジングの断面全体にわたってイオン交換媒体を利用するために、入口および出口は内側ハウジングの両側に配置される。この構成は、特に、自動車において、イオン交換器の取り付け空間を選択する場合に考慮されなければならない。処理のために液体流体が通過するイオン交換媒体の長さは、入口と出口との間の間隔によって限定される。
【発明の概要】
【発明が解決しようとする課題】
【０００３】
本発明の目的は、確実に、かつ効率的に液体流体を処理することができ、容易に調節可能で、様々な取り付け空間および／または応用分野に適合できる、上記の種類のイオン交換器を設計することである。
【課題を解決するための手段】
【０００４】
この目的は、可撓性バッグが、入口を出口と接続し、イオン交換媒体が配置される流体用の蛇行流路を有するという点で、本発明により解決される。
【０００５】
したがって、本発明によれば、イオン交換媒体は、その形状および／または大きさに関して、既存の取り付け空間に簡単に合わせることができる可撓性バッグ内に配置される。バッグ内では、流体の流路を画定する流体用の蛇行流路が具現化される。流体が流れなければならない流路の長さは、単に蛇行流路の数量によって前もって設定される。流路を延長することで、イオン交換器の交換器容量が増える。流路の長さは、入口と出口との間の間隔によって限定されない。貫流流路の断面に対する貫流流路の長さは、先行技術で公知のイオン交換器の場合よりも長い。貫流する流体による、イオン交換媒体内での優先流路の形成がこうして抑制される。従来技術の公知のイオン交換器と比較して、流路の長さに対する流路の断面を小さくすることができるので、処理される流体を断面全体にわたって分散させるための手段を設ける必要がない。流路を適切に誘導することで、バッグ上の入口および出口を従来技術のイオン交換器で可能であるよりも自由に選択することができる。さらに、流路の蛇行した進路は、イオン交換媒体内での優先流路の形成を抑制する。可撓性バッグはさらに、イオン交換媒体を簡単に充填することができ、これにより製造費用が削減される。
【０００６】
蛇行流路は、互いに平行に延び、互いに隣接する流路部を有することができる。
【０００７】
有利な実施形態では、バッグを巻いて略円筒体にすることができる。バックは、したがって非常にコンパクトに設計することができる。このようにして、バッグの必要空間をさらに最適化することができる。巻きプロセスによって、イオン交換媒体を高密度に詰めることができ、これは、イオン交換器の使用中に、貫流する流体による、イオン交換媒体内での優先流路の形成を抑制する。
【０００８】
有利には、薄い可撓性保護材料、特に、弾性不織布をバッグと共に巻くことができる。保護材料は、バッグの外側面が互いに直接重ならないように、補助的な保護層として機能する。このようにして、特に、振動する場合に、バッグの外側面が互いにこすれ、擦り減る可能性を防止する。
【０００９】
さらに、有利には、巻かれたバッグは、弾性支持スリーブ、特に、圧縮スリーブ内に入れることができる。イオン交換媒体が、特に、重力および／または振動により、バッグ内で移動するのを防止するために、支持スリーブを用いてイオン交換媒体を所定の位置に保持することができる。さらに、支持スリーブを用いてイオン交換媒体を締め付けることができる。特に、イオン交換媒体がバッグの内側面に直接当たるように、イオン交換媒体と内側面との間の空隙を縮めることができる。全体として、支持スリーブは、イオン交換媒体内の優先流路の形成を抑制する。巻かれて円筒体になったバッグは、弾性支持スリーブ内に容易に導入することができる。支持スリーブは、弾性織物とすることも、不織布材料とすることもできる。支持スリーブは、ネット状または格子状に具現化することができる。
【００１０】
さらに有利な実施形態では、バッグはプラスチック材料で作ることができ、流路は、特に、複数の平行な接合曲線、特に、溶着線によって画定することができ、バッグの対向する２つの内側面は、接合曲線に沿って互いに接合され、接合曲線は、バッグの第１の縁部から、反対側に配置された第２の縁部に対して、特に、隣接する接合曲線間の流路の幅に一致する間隔を置いた位置まで、および第２の縁部から、第１の縁部に対して所定の間隔、特に、同じ間隔を置いた位置まで交互に延びる。このように、単純かつ空間を節約する形で、好ましくは均一な流路を実現し得る。プラスチック材料は、容易に加工することができ、特に、溶接、接着、または成形することができる。金属部品は全く必要とされない。したがって、金属イオンが流体に導入されることは決してあり得ない。金属を省くことで、イオン交換器の将来のリサイクルまたは廃棄に関してプラスの効果が得られる。入口および出口のコネクタは、プラスチックバッグに単純に、特に、溶着または接着することができる。さらに、コネクタは、バッグと一体式に接続することができる。イオン交換媒体が、入口および／または出口を通ってバッグから出ることがあるのを防止する保持装置、特に、フィルタまたはふるいを設けることができる。保持装置は、入口および／または出口に簡単に組み込むことができる。プラスチックバッグは、単純な方法で、特に、無限プラスチックホースから作製することができる。製造プロセスでは、プラスチックホースは、一端で閉じることができ、接合曲線に沿って溶接線を設けることができる。プラスチックホースの開放端は、ある種の漏斗として機能することができ、イオン交換媒体は、この漏斗を通ってバッグに充填することができる。充填プロセス後、バッグは開放側で閉じることができる。次いで漏斗を切り離すことができる。
【００１１】
有利には、入口および出口は、バッグの同じ縁部の周辺に配置することができる。このように、入口および出口は、空間を節約した形で互いに隣接して配置することができる。こうして、イオン交換器は、単純かつ空間を節約した形で、様々な機能システム、特に、冷却装置の冷却管に対応することができる。特に、入口および出口は、巻いた後のバッグの同じ端面に配置されるように、バッグ上に設けることができる。
【００１２】
さらに有利な実施形態によれば、バッグは、特に、２つの半体シェルで構成される、好ましくは剛性の保護ハウジング内に配置することができる。巻かれたバッグは、保護ハウジング内で、環境影響、特に、機械負荷、温度効果、埃、および／または化学物質から保護される。保護ハウジングは、超過圧力が発生した場合に、バッグが破壊されるのを防止することができる。バッグは、２つの半体シェル間に簡単に挿入することができ、続いて、２つの半体シェルが互いに固定する形で連結される。保護ハウジングは、２つの半体シェルで構成される代わりに、異なる方法で閉鎖可能なハウジング部材で構成することもできる。
【００１３】
有利には、保護ハウジングとバッグとの間の空隙は、好ましくは非圧縮性の充填媒体、特に、液体または発砲材料を充填することができる。空隙を埋めることで、特に、超過圧力に対する、特に、バッグの圧縮抵抗がさらに改善される。充填材料を充填する場合、少なくとも１つの独立した充填開口を保護ハウジングに設けることができ、保護ハウジングを組み立てた後、充填媒体が充填開口から充填され、続いて、充填開口を閉じることができる。バッグと保護ハウジングとの間の空隙を埋めることで、バッグを保護ハウジング内で位置的に固定することができる。このように、特に、保護ハウジングをこすることによる、および／または互いに重なったバッグ表面がこすれることによるバッグの擦り減りを防止することができる。
【００１４】
さらに、有利には、特に熱可塑性材料、好ましくはポリエチレンまたはポリウレタンでできたこすれ保護具をバッグと保護ハウジングとの間に配置することができる。巻かれたバッグと保護ハウジングとの間に、こすれ保護具が設けられる空隙を形成することができる。こすれ保護具を用いて、特に、こすれ保護具がない場合に、保護ハウジングに直接載ることになるバッグの接着線または溶着線が、特に、振動に起因するこすれにより擦り減るのを防止することができる。
【００１５】
そのほかの点では、有利には、バッグは、保護ハウジングの接続部で歪み逃がし装置を用いて取り付けることができる。接続部には、バッグの入口または出口に接続される、流体の供給管および排出管用のホースコネクタを設けることができる。機械安定性、特に、圧縮抵抗を改善するために、さらに、イオン交換媒体の均一性を維持するために、バッグのうちの入口および出口が配置された部分は、埋め込み用樹脂により接続部に接合することができる。
【００１６】
図面を用いて本発明の実施形態をより詳細に説明する以下の記述から、本発明のさらなる利点、特徴、および細部が明らかになり得る。当業者は、図面、明細書、および特許請求の範囲に組み合わせて開示した特徴を適切に、また、個別に検討し、それらの特徴を組み合わせて、さらなる有意義な組み合わせにするであろう。
【図面の簡単な説明】
【００１７】
【図１】粒状イオン交換材料を含むバッグが円筒状に巻かれた、燃料電池システムの冷却装置の冷却流体用のイオン交換器のいくつかの構成要素の分解図を概略的に示している。
【図２】巻きを解かれた状態にある図１のイオン交換器のバッグを概略的に示している。
【図３】製造段階時の図１および図２のバッグを概略的に示している。
【図４】イオン交換器のハウジングの接続部に付随するホースコネクタおよび歪み逃がし装置と共に図１〜３のバッグが提示された、組み立てた図１のイオン交換器の部分断面図を概略的に示している。
【図５】図４のホースコネクタの詳細図を概略的に示している。
【発明を実施するための形態】
【００１８】
図において、同じ構成要素は、同じ参照符号で示される。
【００１９】
図１では、自動車の燃料電池システムの特に示されない冷却装置の冷却流体を処理するイオン交換器１０の一部の構成要素の分解図が示されている。
【００２０】
イオン交換器１０は、２つの半体シェル１４、１６で構成される、剛性プラスチック材料でできた保護ハウジング１２を含む。組み立てられると、保護ハウジング１２は、図４に示すように、円筒形状を有する。
【００２１】
図１の後部の半体シェル１４の接続部１８は、図１において、処理される冷却流体用の示した供給管２３に合った、図４および図５に示すホースコネクタ４４のための供給コネクタ用通路２２を上面に有する。処理された冷却流体用の排出管２５のホースコネクタ４２のための排出コネクタ用通路２４は、半体シェル１６の接続部２０に配置されている。
【００２２】
供給コネクタ用通路２２は、取り付けられた状態で半体シェル１６と連結される半体シェル１４の縁部に対して横に開いている。半体シェル１６の接続部２０において、供給コネクタ用通路２２の開いた側と整列する凹部２６が設けられている。
【００２３】
接続部２０のうちの排出コネクタ用通路２４を含む領域２７は、半体シェル１４に面する半体シェル１６の縁部を過ぎて突出している。後部半体シェル１４の接続部１８には、突出した領域２７と相補的な第２の凹部２８が設けられている。取り付けられた状態で、領域２７は第２の凹部２８と係合する。このようにして、取り付けられた状態で保護ハウジング１２を安定化する噛合作用が得られる。さらに、噛合作用は取り付け用の案内として機能する。
【００２４】
排出コネクタ用通路２４はまた、半体シェル１４に面する側で開いている。排出コネクタ用通路２４および供給コネクタ用通路２２は横に開いているので、ホースコネクタ４２は、上記側から簡単に挿入することができる。
【００２５】
ハウジング１２内には、弾性プラスチックフィルムでできた可撓性バッグ３０が配置され、可撓性バッグ３０内には、イオン交換材料３２が配置されている。粒状のイオン交換材料３２の機能は十分に公知である。粒状のイオン交換材料３２は図２に示されている。図２において、バッグ３８は、巻きを解いた状態で示されている。
【００２６】
バッグ３０は巻かれて、図１に示す円筒体になる。不織布３４の形態の薄い可撓性保護材料がバッグ３０と共に巻かれ、この保護材料は、バッグ３０の外側面がこすれて擦り減るのを防止する。不織布３４と共に巻かれたバッグ３０は、弾性織物でできた弾性保護スリーブ３６に詰め込まれる。一種のネットとして図１に示す支持スリーブ３６は、圧縮スリーブの機能を有する。支持スリーブ３６は、巻かれたバッグ３０の形状を安定化し、バッグ３０および封入された粒状イオン交換材料３２を圧縮する。
【００２７】
処理される冷却流体用の入口３８および処理された冷却流体用の出口４０は、保護ハウジング１２の接続部１８、２０に面する、巻かれたバッグ３０の端面に配置されている。イオン交換器１０が取り付けられた状態で、入口３８は、供給コネクタ用通路２２と合致し、出口４０は、排出コネクタ用通路２４と合致する。
【００２８】
ホースコネクタ４２は、それぞれ入口３８および出口４８に設けられる。入口３８のホースコネクタ４２が、図４および図５に示されている。ホースコネクタ４２はそれぞれ、環状の溶着ディスク４３を有する。ホースコネクタ４２は、環状の溶着ディスク４３を用いて、入口３８の入口開口４４または出口４０の出口開口４６を囲むバッグ３０のそれぞれの溶着面６８に溶着される。各ホースコネクタ４２内にはふるい４８が配置され、このふるい４８は、粒状イオン交換材料３２が、ホースコネクタ４２を通ってバッグ３０から出るのを防止する。
【００２９】
ホースコネクタ４２はそれぞれ、歪み逃がし装置５０を有し、この歪み逃がし装置５０を用いて、半体シェル１４の接続部１８に取り付けられている。さらに、ホースコネクタ４２と、巻かれたバッグ３０のうちの接続部１８、２０に面する部分とは、埋め込み用樹脂５２によって接続部１８、２０に埋め込まれている。このようにして、イオン交換器１０の機械強度、特に、圧縮抵抗が高くなり、粒状イオン交換材料３２の均一性が維持される。
【００３０】
各ホースコネクタ４２は、その自由端を楔形の先細りクイックコネクタ５４として構成され、供給管２３または排出管２５は、クイックコネクタ５４に押し込むことができ、かつ、例えば、ホースクランプを用いて固定することができる。
【００３１】
入口３８および出口４０の反対側に配置された、巻かれたバッグ３０の底部側端面と保護ハウジング１２の底部５６との間に、ポリエチレンでできた保護プレート５８が配置されている。保護プレート５８を用いて、バッグ３８の端面底縁部６４の溶着線が、例えば、振動により、こすれて擦り減るのを防止することができる。
【００３２】
バッグ３０は、図３に示す、平らにされたプラスチックホース６０から製造される。プラスチックホース６０は両方の開放端で溶着され、溶着された開放端は、図２に示すように、全体として略長方形のバッグ３０の端面接続縁部６２および端面底縁部６４を形成している。
【００３３】
端面接続縁部６２は、バッグ３０の横縁部７６の領域で接続タブ６６に成形されている。接続タブ６６には、入口開口４４、出口開口４６、およびそれぞれの溶着面６８が形成されている。
【００３４】
横縁部７６に平行な３つの連続溶着線７０が、接続縁部６２から端面底縁部６４に向かう方向に延びている。溶着線７０を用いて、プラスチックホース６０の対向して配置された２つの内側面が互いに接合されている。溶着線７０は、端面底縁部６４に対して所定の間隔７２を置いて終端している。
【００３５】
２つの溶着線７４が、端面底縁部６４から端面接続縁部６２に向かう方向で、溶着線７０に対して平行に延びている。溶着線７４も同様に、端面接続縁部６２に対して間隔７２を置いて終端している。溶着線７４は、それぞれ２つの隣接する溶着線７０間の中心に配置されている。
【００３６】
隣接する溶着線７０、７４間の間隔、およびバッグ３８の外側溶着線７０と横縁部７６との間の間隔は、間隔７２に一致する。全体として、全流路長にわたって間隔７２に一致する均一な幅を有する、冷却流体用の蛇行流路７８が得られる。流路７８は、入口３８を出口４０に接続する。流路７８には粒状イオン交換材料３２がある。
【００３７】
バッグ３０を作製する場合、プラスチックホース６０を平らにプレス加工し、端面接続縁部６２および接続タブ６６を形成するために、連続する密封溶着線を一方の開放端に設ける。バッグ３０の対向して配置された内側面を、平行な溶着線７０、７４によって密封接合する。溶着線７４は、図３に破線で示す、将来の端面底縁部６４を越えて突き出ている。
【００３８】
端面接続縁部６２とは反対の側で、将来の端面底縁部６４に対して間隔を置いた位置で、バッグ３０をプラスチックホース６０から切り離す。将来の端面底縁部６４とバッグ３８の開放端との間の部分は、漏斗部８０として機能する。
【００３９】
次に、漏斗部８０の開放側が、空間的に上部に位置するようにバッグ３０を配置する。流路７８を形成する溶着線７０、７４間の中間領域が、最大で将来の端面底縁部６４まで粒状イオン交換材料３２で満たされるまで、粒状イオン交換材料３２を漏斗部９０に充填する。
【００４０】
次に、図３に破線で示すラインに沿って、バッグ３０を連続的に密封溶着する。次いで、漏斗部８０を切り離す。
【００４１】
不織布３４をバッグ３０上に表面全体にわたって広げて置き、バッグ３０と共に巻いて円筒体にする。次に、巻かれたバッグ３０を保護スリーブ３６に挿入する。
【００４２】
次いで、環状溶着ディスク４３を用いて、ホースコネクタ４２を入口３８および出口４０の溶着面６８に溶着する。
【００４３】
ホースコネクタ４２が、排出コネクタ用通路２４および供給コネクタ用通路２２を貫通するように、巻かれたバッグ３０を保護プレート５８を介して半体シェル１４内に置く。ホースコネクタ４２の歪み逃がし装置５０を接続部１８に連結する。半体シェル１６を半体シェル１４に押し付けて溶着する。
【００４４】
図１に示す半体シェル１６の充填開口８２を用いて、硬化性埋め込み用樹脂をバッグ３０の端面接続縁部６２と、半体シェル１４、１６の接続部１８、２０との間の空隙に充填する。次に、充填開口８２を閉じる。
【００４５】
第２の充填開口８４を用いて、硬化性発泡体８８を充填し、図２に示すように、保護ハウジング１２と、巻かれたバッグ３０との間の空隙９０、およびバッグ３０の蛇行流路間の空隙を硬化性発泡体８８で埋める。次に、第２の充填開口８４を閉じる。
【００４６】
イオン交換器１０の使用と同時に、処理される冷却流体が、入口開口２３から入口側ホースコネクタ４２を経て、入口３８に流入する。冷却流体は、図２に示す矢印８６の方向に流路７８を流れる。冷却流体は、こうして粒状イオン交換材料３２の間を流れて公知の通り処理される。
【００４７】
処理された冷却流体は、出口４０を通ってバッグ３０を出て行き、出口側のホースコネクタ４２を通って保護ハウジング１２を出て、冷却装置の排出管２５に流入する。
【００４８】
イオン交換器１０の説明した実施形態のすべてにおいて、特に、以下の修正が可能である。
【００４９】
本発明は、自動車の燃料電池にある冷却装置のイオン交換器１０に限定されない。代わりに、本発明は、様々な液体流体を処理する様々な機能システムのイオン交換器、例えば、放電加工機で水からイオンを除去するイオン交換器、定置用燃料電池用途のイオン交換器、または、例えば、窒素酸化物を酸素還元するために、内燃機関の排気ガス流れに導入される水尿素溶液を処理するイオン交換器などで使用することもできる。さらに、本発明は、飲料水、冷却水、ボイラー水、または他のタイプの工業用水を処理するために使用することができる。
【００５０】
弾性プラスチックフィルムで作製する代わりに、バッグ３０はまた、非弾性であるが可撓性のプラスチックフィルムで作ることもできる。
【００５１】
ホースコネクタ４２を接続部１８、２０に埋め込むための埋め込み用樹脂５２は、省くこともできる。
【００５２】
供給管２３および排出管２５と接続するために、クイックコネクタ５４の代わりに、他のタイプのホースコネクタ、例えば、ねじ式コネクタを設けることもできる。
【００５３】
粒状イオン交換材料３２が、バッグ３０から出ることがあるのを防止するために、ふるい４８の代わりに、様々なタイプのふるい、またはフィルタ手段を設けることもできる。ふるい４８はまた、ホースコネクタ４２ではなくて、バッグ３０に配置することもできる。
【００５４】
保護プレート５８は、ポリエチレンで作られる代わりに、他の保護材料、好ましくは、例えば、ポリウレタンなどの熱可塑性材料で作ることもできる。
【００５５】
イオン交換器１０の簡素化した実施形態では、保護不織布３４および／または保護プレート５８は省くこともできる。
【００５６】
第２の充填開口８４を用いた、保護ハウジング１２とバッグ３０との間の空隙９０、および／またはバッグ３０の蛇行流路間の空隙９０に対する発泡体の充填も省くことができる。硬化性発泡体の代わりに、例えば、液体などの最終状態で圧縮できない別の媒体、好ましくは、同じ割合の水およびグリコールでできた混合物を使用することもできる。
【００５７】
蛇行流路７８は、５つ以外の数の溶着線７０、７４によって実現することもできる。
【００５８】
溶着線７０、７４は、平行な直線の形態ではなくて、少なくとも部分的に非平行の直線または曲線の形態で実現することもできる。
【００５９】
流路７８には、その流動長にわたって、広くなった部分および／または狭くなった部分を設けることもできる。
【００６０】
入口３８および出口４０は、端面接続縁部６２の周辺に配置する代わりに、反対側の端面縁部または横縁部、あるいは端面縁部と横縁部との間のバッグ面内にも同様に配置することができる。
【００６１】
弾性支持スリーブ３６は、簡素化した実施形態において省くこともできる。
【００６２】
バッグ３０は、巻かれて円筒体になるのではなくて、例えば、折り重ねるなど異なる形で形成することもできる。
【００６３】
保護ハウジング１２は、２つの半体シェル１４、１６から組み立てるのではなくて、軸方向の２つの部品、例えば、ハウジングカップおよび蓋から製造することもできる。保護ハウジングはまた、３つ以上の部品で構成することもできる。
【００６４】
半体シェル１４、１６は、互いに溶着する代わりに、別の方法で連結することもでき、例えば、互いに接着するか、ねじ留めするか、または互いにスナップ式に連結することができる。
【００６５】
溶着線７０、７４、ならびに端面接続縁部６２および端面底縁部６４の溶着線の代わりに、例えば、接着によるなど、バッグの内側面の異なる種類の連続接合を形成することもできる。
【図１】
2014512937.tif 000003
【図２】
2014512937.tif 000004
【図３】
2014512937.tif 000005
【図４】
2014512937.tif 000006
【図５】
2014512937.tif 000007
【国際調査報告】
2014512937.tif 000008
2014512937.tif 000009
2014512937.tif 000010
2014512937.tif 000011